(57)【特許請求の範囲】
【請求項１】
側溝用または集水枡用のブロックの対向する一対の側壁のうち切断対象の側壁を切断する切断ユニットと、
前記一対の側壁のうちいずれかの側壁に配置され、前記切断ユニットを前記切断対象の側壁に沿って移動可能に支持する支持ユニットとを有し、
前記支持ユニットは、前記いずれかの側壁の上向きの面に配置される第１の支持ユニットと、前記いずれかの側壁の内側面に配置される第２の支持ユニットとを含み、
前記第２の支持ユニットは、前記内側面に当たった状態で前記内側面を滑動するローラーを含む、切断装置。
【請求項２】
前記第１の支持ユニットは、前記上向きの面に対し垂直に配置される壁面と、
前記壁面に対し垂直な方向から接触する支持部とを含む、請求項１に記載の切断装置。
【請求項３】
前記いずれかの側壁は前記切断対象の側壁である、請求項１または２に記載の切断装置。
【請求項４】
支持ユニットを側溝用または集水枡用のブロックの対向する一対の側壁のうちいずれかの側壁に配置することと、
前記支持ユニットにより切断ユニットを前記一対の側壁のうち切断対象の側壁に沿って移動可能に支持することと、
前記切断ユニットにより前記切断対象の側壁を切断することとを有し、
前記支持することは、前記いずれかの側壁の内側面にローラーを当てた状態で滑動させることを含む、切断方法。
【発明の詳細な説明】
【技術分野】
【０００１】
本発明は、側溝用または集水枡用のブロックの切断装置および切断方法に関する。
【背景技術】
【０００２】
Ｕ字溝と称される上部が開口したコンクリート製の道路側溝（側溝体）は、開口部分にコンクリート蓋や、グレーチングと称される金属製蓋が装着されている。
特にコンクリート蓋を使用した側溝体は、車両の通過による荷重負担や振動を受けるので、経年変化として蓋体や側溝体上部が破損する。そこで、破損した側溝体は補修の必要があり、従前においては、側溝体全部を取り替えたり、特許文献１のように側溝体上部のみを改修したりするための工法や、当該工法に使用する切断機が知られている。
【０００３】
特許文献１には、移動機体が側溝方向への移動をなすレールを備えた走行機体と、側溝幅方向に移動するように走行機体に組み込んだ横移動体と、横移動体に上下動自在に組み込んだ切断体で構成される切断機が記載されている。また、レールは、側溝体の両側の舗装面に、所定の幅員をもって接地固定されるものであり、走行機体は、このレール上を走行移動するのもので、車台走行部と、架設本体部と、架設本体部に付設した横移動機構を備えてなることが記載されている。
【０００４】
特許文献１においては、切断機の走行機体が走行するレールは、側溝体の両側の舗装面に、所定の幅員をもって接地固定されるため、側溝体の片側の舗装面に縁石や擁壁などの構造物が設置されている場合には、レールを側溝体の両側の舗装面に接地固定することが困難となり、側溝体を効率よく切断することは容易ではない。
【先行技術文献】
【特許文献】
【０００５】
【特許文献１】特開２００６−２４１８３１号公報（段落番号０００２、０００３、００１９、００２０、図１）
【発明の概要】
【発明が解決しようとする課題】
【０００６】
本発明は、側溝用または集水枡用のブロックの周辺に縁石や擁壁などの構造物が設置されている場合であっても、当該ブロックを効率よく切断することが可能な切断装置および切断方法を提供する。
【課題を解決するための手段】
【０００７】
本発明の一態様は、側溝用または集水枡用のブロックの対向する一対の側壁のうち切断対象の側壁を切断する切断ユニットと、一対の側壁のうちいずれかの側壁に配置され、切断ユニットを切断対象の側壁に沿って移動可能に支持する支持ユニットとを有する切断装置である。
【０００８】
この切断装置においては、支持ユニットが側溝用または集水桝用のブロックの対向する一対の側壁のうちいずれかの側壁に配置される。このため、たとえば当該ブロックの周辺に縁石や擁壁などの構造物が設置されている場合であっても、当該構造物に干渉することなく支持ユニットを当該いずれかの側壁に容易に配置できる。また、この切断装置においては、当該ブロックそのもののいずれかの側壁に支持ユニットを配置することにより、切断ユニットを切断対象の側壁に沿って移動可能に支持できる。このため、切断ユニットを支持するために、当該ブロックの周辺の構造物を用いたり、当該ブロックの対向する側壁間を跨いで支持ユニットを配置する必要がない。したがって、敷設された当該ブロックの周辺環境や、当該ブロックそのものの側壁間隔の影響を受けることなく、切断作業を効率よく省スペースにて実施できる。このため、多種多様なサイズ、設置環境下にある側溝用または集水桝用のブロックに対し、切断対象の側壁を効率よく切断可能な切断装置を提供できる。
【０００９】
支持ユニットは、当該いずれかの側壁の上向きの面に配置される第１の支持ユニットを含むことが好ましい。当該いずれかの側壁の蓋受け面や路面に沿う側壁上面などの上向きの面に第１の支持ユニットを配置することにより、切断ユニットを重力方向から安定的に支持するとともに、作業空間の省スペース化を図ることができる。
【００１０】
支持ユニットは、当該いずれかの側壁の内側面に配置される第２の支持ユニットを含むことが好ましい。第１の支持ユニットが配置される側壁の内側面に第２の支持ユニットを配置することにより、切断ユニットを転倒させる向きのモーメントが発生した場合であっても、第２の支持ユニットが逆向きのモーメントを作用させることにより切断ユニットを安定的に支持できる。
【００１１】
第１の支持ユニットは、側壁の上向きの面に対し垂直に配置される壁面と、壁面に対し垂直な方向から接触する支持部とを含むことが好ましい。側壁の上向きの面に、第１の支持ユニットの垂直な壁面を配置し、当該壁面に対し垂直な方向から支持部を接触させることにより、切断ユニットを切断対象の側壁に沿って移動させる際に、第１の支持ユニットが上向きの面から脱落することを防止できる。
【００１２】
支持ユニットが配置される側壁は、対向する一対の側壁のうちいずれであってもよいが、切断対象の側壁であることが好ましい。切断対象の側壁そのものに支持ユニットを配置することにより、切断ユニットと支持ユニットとを近接させたレイアウトを採用しやすく、コンパクトな構成の切断装置を提供できる。
【００１３】
本発明の他の態様は、支持ユニットを側溝用または集水枡用のブロックの対向する一対の側壁のうちいずれかの側壁に配置することと、支持ユニットにより切断ユニットを一対の側壁のうち切断対象の側壁に沿って移動可能に支持することと、切断ユニットにより切断対象の側壁を切断することとを有する切断方法である。支持ユニットを対向する一対の側壁のうちいずれかの側壁に配置し、支持ユニットにより切断ユニットを切断対象の側壁に沿って移動可能に支持することにより、敷設された当該ブロックの周辺環境や、当該ブロックそのものの側壁間隔の影響を受けることなく、切断対象の側壁を効率よく切断できる。
【発明の効果】
【００１４】
本発明によれば、側溝用または集水枡用のブロックの周辺に縁石や擁壁などの構造物が設置されている場合であっても、当該ブロックを効率よく切断することが可能な切断装置および切断方法を提供できる。
【図面の簡単な説明】
【００１５】
【図１】本発明の一実施形態である切断装置を用いて側溝用ブロックを切断する例を示す平面図である。
【図２】図１に示す切断装置の断面図（図１のII-II断面）である。
【図３】図２に示す切断装置の拡大断面図である。
【図４】支持ユニットのレールを側溝用ブロックの側壁に配置する様子を示す図である。
【図５】支持ユニットにより切断ユニットを支持する様子を示す図である。
【図６】本発明の一実施形態である切断装置を用いて集水枡用ブロックを切断する例を示す平面図である。
【発明を実施するための形態】
【００１６】
本発明の一実施形態である切断装置１は、道路の両側または片側などに路面排水を目的として設置された側溝用ブロックおよび／または集水枡用ブロックの側壁を切断する用途に使用できる。
【００１７】
図１に、切断装置１を用いて側溝用ブロック２を切断する例を平面図により示している。図２に、切断装置１を断面図（図１のII-II断面）により示している。本例では、側溝用ブロック２が車道１２と歩道１４との境界に設置されており、歩道１４の路面（歩道路面）１４ａが車道１２の路面（車道路面）１２ａよりも高い位置にあるため、側溝用ブロック２に沿って歩車道境界用ブロック（縁石）１６が設置されている。
【００１８】
側溝用ブロック２は、全体がコンクリート製で、断面視がＵ字型の上方に開口した溝（Ｕ字溝）であり、路面排水の流路９０を形成するように対向して配置された２枚一組の側壁８Ａ（８Ｂ）と、両側の側壁８Ａ（８Ｂ）を繋ぐ底壁８Ｃとを含む。側壁８Ａ（８Ｂ）のそれぞれは、互いに向き合うように配置された内側面（側壁内側面）８ｄと、互いに反対向きに配置された外側面（側壁外側面）８ｅと、車道路面１２ａと同じ高さに配置された上面（側壁上面）８ａ（８ｂ）と、不図示の蓋体を載せるために側壁上面８ａ（８ｂ）よりも低い位置に配置された蓋受け面８ａ１（８ｂ１）とを含む。
【００１９】
切断装置１は、側溝用ブロック２の対向する一対の側壁８Ａ（８Ｂ）のうち切断対象の側壁８Ａを切断する切断ユニット５０と、側壁８Ａ（８Ｂ）のうち一方の側壁８Ａに配置された状態で切断ユニット５０を側壁８Ａに沿って移動可能に支持する支持ユニット１０とを有する。
【００２０】
支持ユニット１０は、側壁上面８ａに配置された第１の支持ユニット２０と、第１の支持ユニット２０に対し高さ調整可能に取り付けられた状態で側壁内側面８ｄに配置された第２の支持ユニット３０と、切断ユニット５０を側壁８Ａに沿って流路９０の方向（流路方向）Ｚに移動させるために第１の支持ユニット２０に取り付けられた手動操作用ハンドル２８とを含む。
【００２１】
図３に、切断装置１を拡大断面図により示している。第１の支持ユニット２０は、側壁上面８ａに固定されたレール１８と、レール１８に沿って流路方向Ｚに可動する支持ユニット本体２１とを含む。レール１８は、断面視が逆Ｔ字型のいわゆる平底レールであり、側壁上面８ａにコンクリートビス２３などで固定された平板状の底部（レール底部）１８ａと、レール底部１８ａの中央から上方に向けて垂直に突出した平板状の腹部（レール腹部）１８ｂとを含む。
【００２２】
支持ユニット本体２１は、レール底部１８ａの平坦な上面（レール上面）１８ａ１に対し垂直な方向から当たった状態でレール上面１８ａ１を滑動する第１のローラー２４と、レール腹部１８ｂの両側面のうち、側壁外側面８ｅ側の平坦な側面（壁面、レール壁面）１８ｂ１に対し垂直な方向から当たった状態でレール壁面１８ｂ１を滑動する第２のローラー（支持部）２６とを含む。支持ユニット本体２１は、さらに、第２の支持ユニット３０を高さ調整可能に保持する第１の高さ調整部２０ｄと、操作用ハンドル２８を高さ調整可能に保持する第２の高さ調整部２０ｂとを含む。
【００２３】
第２の支持ユニット３０は、第１の高さ調整部２０ｄに対し鉛直方向Ｙに移動可能に取り付けられた高さ調整部材３４と、高さ調整部材３４に取り付けられた状態で切断ユニット５０を支持する支持ユニット本体３１とを含む。高さ調整部材３４は、全体が棒状で表面にねじが切られたボルト部２０ｃと、切断ユニット５０が所望の高さとなるようにボルト部２０ｃを第１の高さ調整部２０ｄに対し固定する上下一対のナット部２０ｅとを含む。支持ユニット本体３１は、側壁内側面８ｄに対し垂直な方向から当たった状態で側壁内側面８ｄを滑動する上下一対の第３のローラー４４を含む。
【００２４】
切断ユニット５０は、支持ユニット本体３１に設けられた回転軸部３５を介して所定の角度範囲内で水平方向Ｘに回転可能に支持された切断ユニット本体５１と、切断ユニット本体５１に取り付けられた状態で上下一対の第３のローラー４４に挟まれるように配置されたブレード（カッター）３８と、ブレード３８を覆うブレードカバー３６と、側壁８Ａに対するブレード３８の切り込み深さを調整するために切断ユニット本体５１を水平方向Ｘに回転操作するブレードハンドル４０とを含む。本例の切断ユニット５０は、不図示のコンプレッサーを駆動源とするエアカッターであるが、エンジンカッターなどを用いることも可能である。
【００２５】
この切断装置１においては、支持ユニット１０が側溝用ブロック２の２枚一組の側壁のうち片側の側壁８Ａに配置される。このため、本例のように側溝用ブロック２の歩道１４側に縁石１６が設置されている場合であっても、縁石１６に干渉することなく支持ユニット１０を側壁８Ａに容易に配置できる。また、この切断装置１においては、側溝用ブロック２そのものの片側の側壁８Ａを用いて支持ユニット１０を配置することにより、切断ユニット５０を側壁８Ａに沿って移動可能に支持できる。このため、切断ユニット５０を支持するために、側溝用ブロック２の周辺構造物である縁石１６、車道１２、歩道１４などを用いたり、側溝用ブロック２の対向する側壁８Ａ（８Ｂ）間を跨いだりして支持ユニット１０を配置する必要がない。したがって、敷設された側溝用ブロック２の周辺環境や、側溝用ブロック２そのものの側壁間隔の影響を受けることなく、切断作業を効率よく省スペースにて実施できる。
【００２６】
さらに、この切断装置１においては、支持ユニット１０が側溝用ブロック２の２枚一組の側壁のうち片側の側壁８Ａに配置され、切断ユニット５０が両側の側壁８Ａ（８Ｂ）に挟まれた流路９０に配置されるため、支持ユニット１０および切断ユニット５０が対向する側壁８Ａ（８Ｂ）間に収まり、側溝用ブロック２から車道１２側や歩道１４側にはみ出す部分がなく、切断作業に際し周辺環境に与える影響を軽減できる。また、支持ユニット１０が切断対象の側壁８Ａそのものに配置されるため、切断ユニット５０と支持ユニット１０とを近接させたレイアウトを採用しやすく、コンパクトな構成の切断装置１を提供できる。
【００２７】
さらに、この切断装置１においては、第１のローラー２４が側壁上面８ａと平行なレール上面１８ａ１に対し垂直に接触するため、第１のローラー２４により切断ユニット５０を重力方向から安定的に支持できる。また、第３のローラー４４が側壁内側面８ｄに対し垂直に接触するため、第１のローラー２４のレール上面１８ａ１に接触する接点Ｐを支点として切断ユニット５０を転倒させる向きのモーメント（転倒モーメント）に対し、第３のローラー４４が逆向きのモーメント（抵抗モーメント）を作用させることにより切断ユニット５０をさらに安定的に支持し、走行性能を向上できる。
【００２８】
さらに、この切断装置１においては、第２のローラー２６が側壁上面８ａと垂直なレール壁面１８ｂ１に対し垂直に接触しガイドされるため、切断ユニット５０を流路方向Ｚに移動させる際に、滑動中の第１のローラー２４がレール上面１８ａ１から脱落することを防止できる。また、第２のローラー２６が第３のローラー４４よりも第１のローラー２４に近接した位置に配置されるため、転倒モーメントが発生する接点Ｐに一層近い位置で抵抗モーメントを作用させることにより、第３のローラー４４が切断ユニット５０に作用させる抵抗モーメントを補強できる。したがって、切断ユニット５０の傾きやガタつきを効果的に抑制でき、切断効率をさらに向上できる。
【００２９】
図４および図５に、切断装置１を用いて側溝用ブロック２の側壁８Ａを切断する切断方法を示しており、図４は、支持ユニット１０のレール１８を側溝用ブロック２の側壁８Ａに配置する様子、図５は、支持ユニット１０により切断ユニット５０を支持する様子を示している。
【００３０】
まず、図４に示すように、レール１８を側壁上面８ａに対しコンクリートビス２３で固定する。次に、図５に示すように、第１のローラー２４をレール上面１８ａ１に対し垂直に当たるように配置する。これにより、第３のローラー４４が側壁内側面８ｄに対し垂直に接触可能な状態で配置されるとともに、第２のローラー２６がレール壁面１８ｂ１に対し垂直に接触可能な状態で配置される。したがって、側溝用ブロック２の周辺構造物や両側の側壁８Ａ（８Ｂ）を用いることなく、側溝用ブロック２そのものの片側の側壁８Ａのみを用いて支持ユニット１０を配置することにより、切断ユニット５０を側壁８Ａに沿って移動可能に支持できる。
【００３１】
次に、ブレード３８が所望の高さとなっているかを確認し、必要に応じて、高さ調整部材３４を操作することによりブレード３８の高さを調整する。次に、手動操作用ハンドル２８を操作することにより切断ユニット５０を流路方向Ｚに移動させるとともに、ブレードハンドル４０を操作することにより側壁８Ａに対するブレード３８の切り込み深さを調整しながら、側壁８Ａを切断する。側壁８Ａの切断が完了した後、レール１８を側壁上面８ａから取り外し、次の切断対象である側壁８Ｂの側壁上面８ｂに対し固定し、以降、上記と同様の手順で側壁８Ｂを切断する。
【００３２】
なお、本例の切断ユニット５０は、支持ユニット１０を配置する側壁８Ａのみを切断対象とするように構成されているが、支持ユニット１０を配置しない側壁８Ｂのみを切断対象とするように構成してもよいし、両側の側壁８Ａ（８Ｂ）を同時に切断対象とするように構成してもよい。また、本例の第１の支持ユニット２０は、側壁上面８ａのみに配置されているが、蓋受け面８ａ１のみに配置したり、側壁上面８ａおよび蓋受け面８ａ１の両方に配置したりすることも可能である。
【００３３】
また、第１の支持ユニット２０と第２の支持ユニット３０とは、互いに独立していてもよい。すなわち、切断ユニット５０は、側壁８Ａの上向きの面８ａ（８ａ１）に配置される第１の支持ユニット２０のみにより支持されるように構成することも可能であり、側壁８Ａの側壁内側面８ｄに配置される第２の支持ユニット３０のみにより支持されるように構成することも可能である。たとえば、切断ユニット５０が第２の支持ユニット３０のみにより支持されるようにする場合、切断ユニット５０を重力方向から支持可能なレールなどの支持部を側壁内側面８ｄに取り付けることにより実現可能である。以降の実施例においても同様である。
【００３４】
図６に、切断装置１を用いて集水枡用ブロック４６を切断する例を平面図により示している。本例では、集水枡用ブロック４６が流路方向Ｚに連続して設置された複数の側溝用ブロック２の途中に設置されている。
【００３５】
集水枡用ブロック４６は、全体がコンクリート製で、流路９０を形成するように四方に配置された４枚一組の側壁４８Ａ（４８Ｂ、４８Ｃ、４８Ｄ）を含む。側壁４８Ａ（４８Ｂ、４８Ｃ、４８Ｄ）のそれぞれは、側壁内側面４８ｅと、側壁外側面４８ｆと、側壁上面４８ａ（４８ｂ、４８ｃ、４８ｄ）と、蓋受け面４８ａ１（４８ｂ１、４８ｃ１、４８ｄ１）とを含む。なお、上記実施例と共通の構成については共通の符号を付して説明を省略する。
【００３６】
本例でも、支持ユニット１０を４枚一組の側壁４８Ａ（４８Ｂ、４８Ｃ、４８Ｄ）の対向する一対の側壁４８Ａ（４８Ｂ）のうち一方の側壁４８Ａに配置し、支持ユニット１０により切断ユニット５０を側壁４８Ａに沿って移動可能に支持することにより、既設された集水枡用ブロック４６の周辺環境や、集水枡用ブロック４６そのものの側壁間隔の影響を受けることなく、切断対象の側壁４８Ａを効率よく切断できる。同様に、残りの側壁４８Ｂ〜４８Ｄも効率よく切断できる。
【００３７】
なお、切断装置１は、上記実施例のように、２枚一組の側壁を備えた側溝用ブロック２や、４枚一組の側壁を備えた集水枡用ブロック４６だけでなく、複数枚一組の側壁を備えた側溝用および／または集水枡用ブロックの側壁を切断する用途に使用できる。
【符号の説明】
【００３８】
１    切断装置
２    側溝用ブロック
１０    支持ユニット
２０    第１の支持ユニット
３０    第２の支持ユニット
５０    切断ユニット
４６    集水枡用ブロック
【図１】
0006681209.tif 000002
【図２】
0006681209.tif 000003
【図３】
0006681209.tif 000004
【図４】
0006681209.tif 000005
【図５】
0006681209.tif 000006
【図６】
0006681209.tif 000007